(57)【要約】【課題】  撮影後の画像の撮影条件に基づいて、撮影条件の設定変更をユーザーが容易に実行できる手段を提供する。【解決手段】  電子カメラは、撮像部と、表示部と、制御部とを備える。撮像部は、被写体像を撮像して画像のデータを生成する。表示部は、再生画面を表示する。この再生画面では、上記の撮像時における撮影条件およびカメラの設定状態を示す撮影情報とともに、上記の画像が再生される。制御部は、再生画面に表示されている設定状態の項目から選択できる変更候補項目のパラメータの変更操作をユーザーから受け付ける。そして、制御部は、変更後の変更候補項目のパラメータを次回の撮像に反映させる。【選択図】  図１
2008252715.tif 000002
【特許請求の範囲】
【請求項１】
被写体像を撮像して画像のデータを生成する撮像部と、
前記撮像時における撮影条件およびカメラの設定状態を示す撮影情報とともに、前記画像が再生された再生画面を表示する表示部と、
前記再生画面に表示されている前記設定状態の項目から選択できる変更候補項目のパラメータの変更操作をユーザーから受け付けるとともに、変更後の前記変更候補項目のパラメータを次回の撮像に反映させる制御部と、
を備えることを特徴とする電子カメラ。
【請求項２】
請求項１に記載の電子カメラにおいて、
前記制御部は、前記変更候補項目のパラメータが、前記再生画面での状態と現在の状態とで一致するときに前記変更操作をユーザーから受け付けることを特徴とする電子カメラ。
【請求項３】
請求項１に記載の電子カメラにおいて、
前記再生画面は、前記画像の撮像直後に表示されるものであることを特徴とする電子カメラ。
【請求項４】
請求項１に記載の電子カメラにおいて、
前記制御部は、前記再生画面に表示される前記撮影情報の編集操作をユーザーから受け付ける編集モードを有することを特徴とする電子カメラ。
【発明の詳細な説明】
【技術分野】
【０００１】
本発明は、画像を表示可能な表示部を有する電子カメラに関する。
【背景技術】
【０００２】
従来から、電子カメラをはじめとする電子カメラでは、撮影するシーンに応じて、ユーザーが撮影条件のパラメータをカスタマイズすることが一般的に行われている。なお、特許文献１には、ユーザーによる撮影条件の確認のために、再生画像とともに撮影条件の情報をモニタに表示できる電子カメラの一例が開示されている。
【特許文献１】特開２００６−１２９３７０号公報
【発明の開示】
【発明が解決しようとする課題】
【０００３】
ところで、従来の電子カメラでは、ユーザーが撮影後の画像を参照して撮像条件の設定を変更しようとする場合には画面の切替などが頻繁に生じ、その操作が非常に煩雑となる点で改善の余地があった。
本発明は上記従来技術の課題を解決するためのものである。本発明の目的は、撮影後の画像の撮影条件に基づいて、撮影条件の設定変更をユーザーが容易に実行できる手段を提供することである。
【課題を解決するための手段】
【０００４】
本発明の一の形態に係る電子カメラは、撮像部と、表示部と、制御部とを備える。撮像部は、被写体像を撮像して画像のデータを生成する。表示部は、再生画面を表示する。この再生画面では、上記の撮像時における撮影条件およびカメラの設定状態を示す撮影情報とともに、上記の画像が再生される。制御部は、再生画面に表示されている設定状態の項目から選択できる変更候補項目のパラメータの変更操作をユーザーから受け付ける。そして、制御部は、変更後の変更候補項目のパラメータを次回の撮像に反映させる。
【０００５】
上記の電子カメラにおいて、制御部は、変更候補項目のパラメータが、再生画面での状態と現在の状態とで一致するときに変更操作をユーザーから受け付けることが好ましい。
上記の電子カメラにおいて、再生画面は、画像の撮像直後に表示されるものであることが好ましい。
上記の電子カメラにおいて、制御部は、再生画面に表示される撮影情報の編集操作をユーザーから受け付ける編集モードを有することが好ましい。
【発明の効果】
【０００６】
本発明の電子カメラによれば、再生画面の変更候補項目に関してパラメータの変更操作を行うことができ、過去に撮影した画像に基づいて電子カメラの設定変更を容易に行うことができる。
【発明を実施するための最良の形態】
【０００７】
図１は、本実施形態の電子カメラの構成を示すブロック図である。電子カメラは、撮像光学系１１と、レンズ駆動部１２と、絞り１３と、絞り駆動部１４と、撮像素子１５と、ＡＦＥ１６と、画像処理部１７と、バッファメモリ１８と、記録Ｉ／Ｆ１９と、モニタ２０と、操作部材２１およびレリーズ釦２２と、ＣＰＵ２３およびシステムバス２４とを有している。ここで、画像処理部１７、バッファメモリ１８、記録Ｉ／Ｆ１９、モニタ２０およびＣＰＵ２３は、それぞれシステムバス２４を介して接続されている。なお、レンズ駆動部１２、絞り駆動部１４、操作部材２１およびレリーズ釦２２は、それぞれＣＰＵ２３と接続されている。
【０００８】
撮像光学系１１は、ズームレンズやフォーカシングレンズを含む複数のレンズ群で構成されている。撮像光学系１１のレンズ位置は、レンズ駆動部１２によって光軸方向に調整される。なお、簡単のため、図１では撮像光学系１１を１枚のレンズとして図示する。
絞り１３は、撮像素子１５への入射光量を絞り羽根の開閉で調整する。絞り駆動部１４は、ＣＰＵ２３の制御によって絞り１３の絞り値を制御する。
【０００９】
撮像素子１５は、撮像光学系１１の像空間側に配置されている。撮像素子１５は、撮像光学系１１を通過した光束による受光面の被写体像を光電変換してアナログの画像信号を生成する。この撮像素子１５の出力はＡＦＥ１６に接続されている。
ここで、撮影モードにおける撮像素子１５は、レリーズ時に記録画像（本画像）を撮像する。また、撮影モードにおける撮像素子１５は、撮影待機時にも所定間隔毎にスルー画像を撮像する。上記のスルー画像のデータは間引き読み出しで撮像素子１５から出力されて、モニタ２０での画像表示やＣＰＵ２３による各種の演算処理などに使用される。
【００１０】
ＡＦＥ１６は、ＣＤＳ回路、ゲイン回路、Ａ／Ｄ変換回路などを有するアナログフロントエンド回路である。ＣＤＳ回路は、相関二重サンプリングによって撮像素子１５の出力のノイズ成分を低減する。ゲイン回路は入力信号の利得を増幅して出力する。このゲイン回路では、ＩＳＯ感度に相当する撮像感度の調整を行うことができる。Ａ／Ｄ変換回路は撮像素子１５の出力信号のＡ／Ｄ変換を行う。このＡ／Ｄ変換回路の出力は画像処理部１７に接続されている。なお、図１では、アナログ信号処理部における個々の回路の図示は省略する。
【００１１】
画像処理部１７は、デジタルの画像信号に対して各種の画像処理（ホワイトバランス補正、色補間処理、色補正、色変換処理、階調変換、輪郭強調処理、色空間変換など）を施すＡＳＩＣである。ここで、画像処理部１７は、カラーモード設定に応じた色変換マトリクスを用いて色変換処理を行う。また、画像処理部１７は、本画像のデータの圧縮伸長処理や解像度変換処理なども実行する。
【００１２】
バッファメモリ１８は、画像処理部１７による画像処理の前後で画像のデータを一時的に記録する。
記録Ｉ／Ｆ１９には、記録媒体２５を接続するためのコネクタが形成されている。そして、記録Ｉ／Ｆ１９は、コネクタに接続された記録媒体２５に対してデータの書き込み／読み込みを実行する。上記の記録媒体２５は、ハードディスクや、半導体メモリを内蔵したメモリカードなどで構成される。なお、図１では記録媒体２５の一例としてメモリカードを図示する。
【００１３】
モニタ２０は、ＣＰＵ２３の制御によって各種画像を表示する。例えば、モニタ２０には、ＣＰＵ２３の制御によって、再生画面やメニュー画面などが表示される。ここで、再生画面には、本画像の再生画像と、本画像の撮像条件およびカメラの設定状態を示す撮影情報とが含まれる（図３参照）。なお、本実施形態でのモニタ２０の構成は、接眼部を備えた電子ファインダや、カメラ筐体の背面などに設けられる表示パネルのいずれでもよい。
【００１４】
操作部材２１は、例えばコマンドダイヤル、十字状のカーソルキー、決定釦などで構成される。そして、操作部材２１は、メニュー画面などでの入力操作をユーザーから受け付ける。
レリーズ釦２２は、半押し操作による撮影前のＡＦ動作開始の指示入力と、全押し操作による撮像動作開始の指示入力とをユーザーから受け付ける。
【００１５】
ＣＰＵ２３は、電子カメラの統括的な制御を行うプロセッサである。ＣＰＵ２３は、シーケンスプログラムに従って電子カメラの各部動作を制御するとともに、ユーザーの入力に基づいて電子カメラの設定状態のパラメータ変更を行う。また、ＣＰＵ２３は、上記のスルー画像のデータに基づいて、撮影条件を決定するための各種演算（ＡＦ演算、ＡＥ演算、オートホワイトバランス演算など）を実行する。さらに、ＣＰＵ２３は、Ｅｘｉｆ（Exchangeable image file format for digital still cameras）規格に準拠して、画像ファイルのヘッダ領域に記録されるメタデータを生成する。
【００１６】
以下、図２の流れ図を参照しつつ、本実施形態における電子カメラの撮影モードでの動作を説明する。
ステップ１０１：ＣＰＵ２３は、撮像素子１５を駆動させてスルー画像の撮像を開始する。その後、スルー画像は所定間隔ごとに逐次生成されることとなる。ここで、ＣＰＵ２３は、レリーズ釦２２の半押しに応じて、スルー画像のデータに基づいてＡＦおよびＡＥを実行する。また、ＣＰＵ２３はスルー画像をモニタ２０に動画表示する。そのため、ユーザーは、モニタ２０のスルー画像を参照して撮影構図を決定するためのフレーミングを行うことができる。
【００１７】
ステップ１０２：ＣＰＵ２３は、メニュー画面の起動指示をユーザーから受け付けたか否かを判定する。メニュー画面の起動指示があった場合（ＹＥＳ側）には、ＣＰＵ２３はＳ１０３に処理を移行する。一方、メニュー画面の起動指示がない場合（ＮＯ側）には、ＣＰＵ２３はＳ１０４に処理を移行する。
ステップ１０３：ＣＰＵ２３は、メニュー画面をモニタ２０に表示させる。そして、ＣＰＵ２３は、メニュー画面でのユーザーの入力に基づいて、電子カメラの各種の設定を変更する。
【００１８】
ここで、Ｓ１０３の設定変更では、ＣＰＵ２３は、例えば、電子カメラの撮影モードでの設定状態に関する各設定項目（ＩＳＯ感度設定，ホワイトバランス（ＷＢ）のモード設定，カラーモード設定，輪郭強調の設定，階調補正の設定，ノイズ除去のオン／オフ，赤目補正のオン／オフなど）の内容をユーザーの入力に基づいてそれぞれ変更できる。
また、ＣＰＵ２３は、（１）再生画面で表示される設定項目のカスタマイズと、（２）再生画面における設定項目の設定変更のオン／オフの切り替えと、をユーザーの入力に基づいて変更することもできる。ここで、上記（１）の設定項目のカスタマイズでは、ＣＰＵ２３はユーザーの入力に基づいて、上記の各設定項目のうちで再生画面に表示するものを変更できる。また、上記（２）でのオン／オフの設定は、各々の設定項目毎に行うことができる。なお、上記（２）で設定項目の設定変更がオンに設定されると、ＣＰＵ２３は、再生画面の表示において、その設定項目を後述の選択候補項目として取り扱う。
【００１９】
ステップ１０４：ＣＰＵ２３は、レリーズ釦２２が全押しされたか否かを判定する。レリーズ釦２２が全押しされた場合（ＹＥＳ側）には、ＣＰＵ２３はＳ１０５に処理を移行する。一方、レリーズ釦２２が全押しされていない場合（ＮＯ側）には、ＣＰＵ２３はＳ１０６に処理を移行する。
ステップ１０５：ＣＰＵ２３は、撮像素子１５を駆動させて本画像の撮像を行う。そして、画像処理部１７は、撮像素子１５の出力に所定の画像処理を施して本画像のデータを生成する。また、ＣＰＵ２３は、本画像の撮影条件やカメラの設定状態を示すメタデータと、本画像のデータとを対応付けて画像ファイルを生成する。なお、上記の画像ファイルは、ＣＰＵ２３によって記録媒体２５に記録される。
【００２０】
ステップ１０６：ＣＰＵ２３は、再生画面の起動指示をユーザーから受け付けたか否かを判定する。なお、本実施形態ではＳ１０６で再生画面の起動指示があると、ＣＰＵ２３は最も撮影日時が新しい画像ファイルを再生画面での再生対象に優先的に指定する。
再生画面の起動指示があった場合（ＹＥＳ側）には、ＣＰＵ２３はＳ１０７に処理を移行する。一方、再生画面の起動指示がない場合（ＮＯ側）には、ＣＰＵ２３はＳ１１０に処理を移行する。
【００２１】
ステップ１０７：ＣＰＵ２３は、再生対象に指定された画像ファイルのヘッダからメタデータを読み込む。そして、ＣＰＵ２３は、再生対象の本画像の撮像時と現時点とで、上記の選択候補項目（Ｓ１０３）の設定内容がすべて一致しているか否かを判定する。上記要件を満たす場合（ＹＥＳ側）には、ＣＰＵ２３はＳ１０８に処理を移行する。一方、上記要件を満たさない場合（ＮＯ側）には、ＣＰＵ２３はＳ１０９に処理を移行する。
【００２２】
ステップ１０８：ＣＰＵ２３は、再生画面をモニタ２０に表示させる。このとき、ＣＰＵ２３は、再生画面でのユーザーの入力に応じて、上記の選択候補項目のパラメータを変更する制御を行う。なお、ＣＰＵ２３はＳ１０８の処理終了後にＳ１１０の処理へ移行する。
ここで、Ｓ１０８での再生画面の一例を図３に示す。Ｓ１０８でのＣＰＵ２３は、最初に、図３（ａ）に示す第１の再生画面をモニタ２０に表示する。第１の再生画面には、再生対象の本画像に対応する再生画像と、本画像の撮影情報の表示と、ＧＵＩ形式でユーザーからの入力を受け付ける設定変更ボタンとが含まれる。図３（ａ）に示す第１の再生画面の例では、撮影情報として上から順に、露光時間，絞り値，ＩＳＯ感度，ＷＢモード，カラーモード，測光エリア，ファイル名のパラメータがそれぞれ表示されている。そのため、ユーザーは、再生画像を参照しつつ、撮影情報のパラメータが適切か否かを判断することができる。そして、電子カメラの設定状態を変更する場合には、ユーザーは設定変更ボタンを指定する操作を行う。
【００２３】
設定変更ボタンが操作されると、ＣＰＵ２３は、図４（ａ）に示す設定変更画面をモニタ２０に表示させる。設定変更画面では、ＣＰＵ２３の制御によって、第１の再生画面の撮影情報に対応する選択候補項目のパラメータをユーザーが変更できる。具体的には、図４（ａ）の例では、ＩＳＯ感度，ＷＢモード，カラーモード，ファイル名の設定を変更するためのＧＵＩ形式の入力ボタンが設定変更画面で表示される。
【００２４】
このとき、ユーザーがＩＳＯ感度の入力ボタンを指定すると、ＩＳＯ感度の設定値の変更をユーザーがＣＰＵ２３に指示できる。また、ユーザーがＷＢモードの入力ボタンを指定すると、ＷＢモード（オート，太陽光，電球，蛍光灯，曇天など）の変更をユーザーがＣＰＵ２３に指示できる。また、ユーザーがカラーモードの入力ボタンを指定すると、上記の色変換処理の設定変更をユーザーがＣＰＵ２３に指示できる。また、ユーザーがファイル名の入力ボタンを指定すると、次回に撮影する画像ファイルの名称をユーザーがＣＰＵ２３に入力できる。
【００２５】
図３に戻って、第１の再生画面の表示中に所定の表示切替操作があると、ＣＰＵ２３はモニタ２０の表示を第２の再生画面（図３（ｂ）参照）に切り替える。この第２の再生画面では、第１の表示画面で表示しきれない撮影情報のパラメータ（輪郭強調，階調補正，ノイズ除去，赤目補正、撮影日時）が表示される。ここで、第２の再生画面は撮影情報の項目が異なる点を除いては、上記の第１の再生画面と内容がほぼ共通するので重複説明を省略する。なお、第２の再生画面での設定変更ボタンを操作したときにモニタ２０に表示される設定変更画面を図４（ｂ）に示す。
【００２６】
具体的には、図４（ｂ）の例では、輪郭強調，階調補正，ノイズ除去，赤目補正の設定を変更するためのＧＵＩ形式の入力ボタンが設定変更画面で表示される。
このとき、ユーザーが輪郭強調の入力ボタンを指定すると、輪郭強調の度合い（弱，標準，強）の変更をユーザーがＣＰＵ２３に指示できる。また、ユーザーが階調補正の入力ボタンを指定すると、階調補正の度合い（コントラスト弱，標準，コントラスト強）の変更をユーザーがＣＰＵ２３に指示できる。また、ユーザーがノイズ除去の入力ボタンを指定すると、ノイズ除去のオン／オフの切替をユーザーがＣＰＵ２３に指示できる。また、ユーザーが赤目補正の入力ボタンを指定すると、赤目補正のオン／オフの切替をユーザーがＣＰＵ２３に指示できる。
【００２７】
なお、図４に示した各々の設定変更画面では、上記Ｓ１０３の（２）の設定項目の設定変更のオフにすると、ＣＰＵ２３の制御により、その項目に対応する入力ボタンは表示されなくなる。
ステップ１０９：ＣＰＵ２３は、再生対象の本画像に対応する再生画像と、本画像の撮影情報の表示とを含む再生画面をモニタ２０に表示する。なお、Ｓ１０９の場合には、再生対象となった本画像のセッティングと電子カメラの現在のセッティングとが異なる状態にあるため、再生画面の画像を参照して電子カメラの設定を変更するとユーザーが混乱をきたすおそれもある。そのため、Ｓ１０９の場合には、ＣＰＵ２３は、再生画面での設定変更操作を不能化する。なお、Ｓ１０９の場合の再生画面は、設定変更ボタンが表示されない点を除いて図３と共通するので図示を省略する。
【００２８】
ステップ１１０：ＣＰＵ２３は、電子カメラの撮影モードの終了操作をユーザーから受け付けたか否かを判定する。終了操作がある場合（ＹＥＳ側）には、ＣＰＵ２３は撮影モードでの動作を終了する。一方、終了操作がない場合（ＮＯ側）には、ＣＰＵ２３はＳ１０２に戻って上記動作を繰り返す。以上で図２の説明を終了する。
以下、本実施形態における電子カメラの作用効果を述べる。本実施形態の電子カメラでは、再生対象の本画像における撮像時の設定と、電子カメラの現在の設定とが一致するときに、本画像の再生表示を行う再生画面と、電子カメラの設定変更を行うための設定変更画面とをリンクさせる。そのため、本実施形態では、ユーザーは、再生された画像を参照して電子カメラのセッティングの適否を容易に判断できる。そして、セッティングが適切でない場合には、ユーザーは設定変更画面から撮影時のパラメータを変更することができ、過去に撮影した画像に基づいて電子カメラの設定変更が容易に行なえるようになる。
【００２９】
（実施形態の補足事項）
（１）上記実施形態では、最も新しい本画像のデータに基づいて電子カメラの設定を調整する例を説明したが、これよりも古い本画像のデータに基づいて電子カメラの設定を調整するものであってもよい。
（２）上記実施形態のＳ１０８では、電子カメラの設定内容を変更する設定変更画面を再生画面とは別に設けた例を説明した。しかし、本発明でのＣＰＵは、ＧＵＩ形式の入力により、再生画面上で撮影情報のうちの選択候補項目の設定内容をユーザーが直接指定できるようにしてもよい。
【００３０】
（３）上記実施形態における撮影情報や選択候補項目はあくまで一例にすぎず、例えば、選択候補項目として、露出補正や彩度調整などの項目がさらに含まれていてもよい。
（４）上記実施形態は、本画像を記録する撮像素子１５の出力でＡＦやＡＥを行うコンパクトタイプの電子カメラの例を説明したが、例えば、本画像を記録する撮像素子とＡＦモジュールと分割測光センサとをそれぞれ有する一眼レフの電子カメラでも、本発明を適用することは勿論可能である。
【００３１】
なお、本発明は、その精神またはその主要な特徴から逸脱することなく他の様々な形で実施することができる。そのため、上述した実施形態はあらゆる点で単なる例示に過ぎず、限定的に解釈してはならない。本発明は、特許請求の範囲によって示されるものであって、本発明は明細書本文にはなんら拘束されない。さらに、特許請求の範囲の均等範囲に属する変形や変更は、全て本発明の範囲内である。
【図面の簡単な説明】
【００３２】
【図１】本実施形態の電子カメラの構成を示すブロック図
【図２】本実施形態における電子カメラの撮影モードでの動作を説明する流れ図
【図３】Ｓ１０８での再生画面の例を示す図
【図４】Ｓ１０８での設定変更画面の例を示す図
【符号の説明】
【００３３】
１５…撮像素子、１７…画像処理部、２０…モニタ、２１…操作部材、２３…ＣＰＵ
【図１】
2008252715.tif 000003
【図２】
2008252715.tif 000004
【図３】
2008252715.tif 000005
【図４】
2008252715.tif 000006